(57)【要約】【課題】  簡素な構成で、用紙の表面または裏面に画像が形成されているか否かを用紙毎に検知する。【解決手段】  検出位置Ｐの用紙に向けて白色光を発する発光素子アレイ３１と、検出位置Ｐから端面３２２に入射した光を導いて端面３２３から出射させるシート状導光部材３２と、端面３２２からの出射光を、赤色フィルタを介して受光するフォトセンサ３３Ｒ、緑色フィルタを介して受光するフォトセンサ３３Ｇ及び青色フィルタを介して受光するフォトセンサ３３Ｂを有するフォトセンサアレイ３３とを有する検出装置２７を提供する。発光素子アレイ３１からの光は、検出位置Ｐの用紙により反射され、シート状導光部材３２に導かれてフォトセンサアレイ３３により、赤色光、緑色光および青色光に分けて受光される。【選択図】      図４
2006010981.tif 000002
【特許請求の範囲】
【請求項１】
線分状の領域を白色光で照らす光源と、
前記領域長手方向に沿って入射面を有し、前記光源から前記領域を介して前記入射面に到達した光を集光する導光部材と、
前記導光部材により集光された光を複数色に分けて受光し、受光した各光の強度を示す電気信号を出力する受光部と
を有する検出装置。
【請求項２】
請求項１に記載の検出装置と、
両面に画像を形成可能な記録媒体を収容するトレイと、
カラー画像を示す画像データを入力する画像入力手段と、
入力された画像データが示すカラー画像を前記記録媒体の一方または他方の面に形成する形成手段と、
前記記録媒体を前記トレイから前記形成手段へ所定の経路で搬送する搬送手段と、
前記受光部から出力された電気信号を用いて前記記録媒体の地色または地色の分布を特定する特定手段と、
前記特定手段により特定された地色の濃度と色に応じて該画像データの一部または全てを変更して前記形成手段に渡す制御手段とを有し、
前記検出装置は、前記領域が前記経路に直交する１つの平面と前記経路上の前記記録媒体との交差領域を含むように配置されている
ことを特徴とする画像形成装置。
【請求項３】
請求項１に記載の検出装置と、
両面に画像を形成可能な記録媒体を収容するトレイと、
カラー画像を示す画像データを入力する画像入力手段と、
入力された画像データが示すカラー画像を、設定された画像形成条件に従って前記記録媒体の一方または他方の面に形成する形成手段と、
前記記録媒体を前記トレイから前記形成手段へ所定の経路で搬送する搬送手段と、
前記受光部から出力された電気信号を用いて前記記録媒体の地色または地色の分布を特定する特定手段と、
前記特定手段により特定された地色の濃度と色に応じて画像形成条件を設定するとともに、該画像データを前記形成手段に渡す制御手段とを有し、
前記検出装置は、前記領域が前記経路に直交する１つの平面と前記経路上の前記記録媒体との交差領域を含むように配置されている
ことを特徴とする画像形成装置。
【請求項４】
請求項１に記載の検出装置と、
両面に画像を形成可能な記録媒体を収容するトレイと、
カラー画像を示す画像データを入力する画像入力手段と、
入力された画像データが示すカラー画像を前記記録媒体の一方または他方の面に形成する形成手段と、
前記記録媒体を前記トレイから前記形成手段へ所定の経路で搬送する搬送手段と、
前記受光部から出力された電気信号を用いて前記記録媒体の地色または地色の分布を特定する特定手段と、
前記特定手段により特定された地色と前記画像入力手段により入力された画像データが示すカラー画像の色との差が予め定められた閾値を超えている場合には該画像データを前記形成手段に渡し、超えていない場合には画像データの一部または全てを変更して前記形成手段に渡す制御手段とを有し、
前記検出装置は、前記領域が前記経路に直交する１つの平面と前記経路上の前記記録媒体との交差領域を含むように配置されている
ことを特徴とする画像形成装置。
【請求項５】
請求項１に記載の検出装置と、
両面に画像を形成可能な記録媒体を収容するトレイと、
カラー画像を示す画像データを入力する画像入力手段と、
入力された画像データが示すカラー画像を前記記録媒体の一方または他方の面に形成する形成手段と、
前記記録媒体を前記トレイから前記形成手段へ所定の経路で搬送する搬送手段と、
前記受光部から出力された電気信号を用いて前記記録媒体の地色または地色の分布を特定する特定手段と、
前記特定手段により特定された地色と前記画像入力手段により入力された画像データが示すカラー画像の色との差が予め定められた閾値を超えている場合には該画像データを前記形成手段に渡し、超えていない場合には利用者に警告を発する制御手段とを有し、
前記検出装置は、前記領域が前記経路に直交する１つの平面と前記経路上の前記記録媒体との交差領域を含むように配置されている
ことを特徴とする画像形成装置。
【発明の詳細な説明】
【技術分野】
【０００１】
本発明は、用紙の表面または裏面に画像が形成されているか否かを検知する技術に関する。
【背景技術】
【０００２】
複写機やプリンタなどの、用紙に画像を形成して排出する画像形成装置において、給紙カセットや給紙トレイ等の、セットされた用紙を供給する給紙部に、裏面に画像が形成された裏紙をセットして画像形成に用いることが行われている。このような裏紙の使用により、ゴミの減量や資源の有効活用、合理化、コスト低減等の効果が期待される。
【０００３】
しかし、裏紙を用紙として用いる画像形成装置の給紙部にセットされる用紙は裏紙だけに限らない。なぜなら、通常、１つの画像形成装置には、画像が裏紙に形成されてもよい非正式文書と、表面および裏面のいずれにも画像が形成されていない未使用紙に画像が形成されねばならない正式文書との２種類の文書を取り扱うことが要求されるからである。よって、画像形成装置の給紙部にセットされている用紙が裏紙（または未使用紙）であるか否かを検知する技術が必要とされる。
【０００４】
例えば、特許文献１には、多数（例えば１０個）のフォトセンサで用紙からの反射光を受光し、その出力結果を用いて、その用紙が裏紙か否か（あるいは用紙の裏面が汚れているか否か）を検知するシステムが開示されている。フォトセンサは、ＬＥＤとフォトトランジスタとを有し、ＬＥＤからの光が用紙で反射してフォトトランジスタに入射するように構成されている。
また例えば、特許文献２には、用紙トレイに裏紙がセットされているか否かを、使用者に操作されるレバーの状態に基づいて判断する画像形成装置が開示されている。
【０００５】
【特許文献１】特開平６−２５５８４２号公報
【特許文献２】特開平９−１４６４２０号公報
【発明の開示】
【発明が解決しようとする課題】
【０００６】
特許文献１のシステムでは、用紙が裏紙であるか否かを用紙毎に検知することができるが、多数の光源および受光素子が必要となる。したがって、このシステムを画像形成装置に実装すると、許容し難い大型化やコスト高を招いてしまう。また、特許文献２の画像形成装置では、使用者がレバー操作を誤ると、誤った検知が行われてしまう。また使用者のミスによりトレイ内で表裏面が不揃いの場合、ミスプリントを救うことが出来ない。
【０００７】
本発明は上述した事情に鑑みて為されたものであり、簡素な構成で、用紙の表面または裏面に画像が形成されているか否かを用紙毎に検知することができる技術を提供することを目的としている。
【課題を解決するための手段】
【０００８】
上記の課題を解決するために、線分状の領域を照らす光源と、前記領域に沿って入射面を有し、前記光源から前記領域を介して前記入射面に到達した光を集光する導光部材と、前記導光部材により集光された光を受光し、受光した光の強度を示す電気信号を出力するフォトセンサとを有する検出装置を提供することが考えられる。
この検出装置では、光源により照らされた線状の領域からの光が導光部材により集光されてフォトセンサにより受光される。用紙等の記録媒体において、画像が形成されている部分と他の部分とでは光学的な特性（反射率および透過率）が相異するから、記録媒体の搬送路に当該領域を設定して記録媒体の表面および／または裏面の全域にわたって受光強度を検知するようにすれば、記録媒体の表面および／または裏面について画像が形成されているか否かを記録媒体毎に検知することができる。また、当該領域からの光は導光部材によって集光されるから、フォトセンサの数を少なくすること、すなわち構成を簡素とすることができる。
しかし、上記の領域からの１種類の光を受光して当該光の強度を示す電気信号を出力するフォトセンサを用いて検出装置を構成すると、当該１種類の光に関する光学的な特性が記録媒体の地色と記録媒体に形成されている画像の色との間で十分に大きく相異しない場合に誤検知が生じ得る。このような場合の一例としては、上記の１種類の光が白色光であり、かつ、地色が白色の記録媒体に淡い黄色の画像が形成されている場合が挙げられる。
【０００９】
このような課題を解決するために、本発明は、線分状の領域を白色光で照らす光源と、前記領域長手方向に沿って入射面を有し、前記光源から前記領域を介して前記入射面に到達した光を集光する導光部材と、前記導光部材により集光された光を複数色に分けて受光し、受光した各光の強度を示す電気信号を出力する受光部とを有する検出装置を提供する。
この検出装置では、受光部が、上記の領域からの光を複数色に分けて受光し、受光した各光の強度を示す電気信号を出力する。記録媒体の地色と記録媒体に形成されている画像の色とが如何なる関係にあろうとも、複数色のうちの少なくとも１つに関して、地色の光学的な特性と画像の色の光学的な特性との間に十分に大きな差が生じる。よって、誤検知を確実に回避することができる。また、この検出装置によれば、例えば、赤色光を発する光源、緑色光を発する光源および青色光を発する光源を備える態様に比較して、光源の数を減らすことができる。なお、複数色が例えば３色の場合、１つのフォトセンサを用いる態様に比較すると、受光部における受光素子（フォトセンサ）の数は３倍となるが、それでも、特許文献１のシステムに比較すれば十分に少ない。
【００１０】
また、本発明は、前記検出装置と、両面に画像を形成可能な記録媒体を収容するトレイと、カラー画像を示す画像データを入力する画像入力手段と、入力された画像データが示すカラー画像を前記記録媒体の一方または他方の面に形成する形成手段と、前記記録媒体を前記トレイから前記形成手段へ所定の経路で搬送する搬送手段と、前記受光部から出力された電気信号を用いて前記記録媒体の地色または地色の分布を特定する特定手段と、前記特定手段により特定された地色の濃度と色に応じて該画像データの一部または全てを変更して前記形成手段に渡す制御手段とを有し、前記検出装置は、前記領域が前記経路に直交する１つの平面と前記経路上の前記記録媒体との交差領域を含むように配置されていることを特徴とする画像形成装置を提供する。
また、本発明は、前記検出装置と、両面に画像を形成可能な記録媒体を収容するトレイと、カラー画像を示す画像データを入力する画像入力手段と、入力された画像データが示すカラー画像を、設定された画像形成条件に従って前記記録媒体の一方または他方の面に形成する形成手段と、前記記録媒体を前記トレイから前記形成手段へ所定の経路で搬送する搬送手段と、前記受光部から出力された電気信号を用いて前記記録媒体の地色または地色の分布を特定する特定手段と、前記特定手段により特定された地色の濃度と色に応じて画像形成条件を設定するとともに、該画像データを前記形成手段に渡す制御手段とを有し、前記検出装置は、前記領域が前記経路に直交する１つの平面と前記経路上の前記記録媒体との交差領域を含むように配置されていることを特徴とする画像形成装置を提供する。
また、本発明は、前記検出装置と、両面に画像を形成可能な記録媒体を収容するトレイと、カラー画像を示す画像データを入力する画像入力手段と、入力された画像データが示すカラー画像を前記記録媒体の一方または他方の面に形成する形成手段と、前記記録媒体を前記トレイから前記形成手段へ所定の経路で搬送する搬送手段と、前記受光部から出力された電気信号を用いて前記記録媒体の地色または地色の分布を特定する特定手段と、前記特定手段により特定された地色と前記画像入力手段により入力された画像データが示すカラー画像の色との差が予め定められた閾値を超えている場合には該画像データを前記形成手段に渡し、超えていない場合には画像データの一部または全てを変更して前記形成手段に渡す制御手段とを有し、前記検出装置は、前記領域が前記経路に直交する１つの平面と前記経路上の前記記録媒体との交差領域を含むように配置されていることを特徴とする画像形成装置を提供する。
上記各画像形成装置によれば、記録媒体の地色と形成しようとするカラー画像の色との差に基づいて、画像データまたは画像形成条件が変更される。つまり、上記検出装置を用いて、記録媒体および形成しようとするカラー画像に基づいた最適な色補正を行うことができる。
【００１１】
また、本発明は、前記検出装置と、両面に画像を形成可能な記録媒体を収容するトレイと、カラー画像を示す画像データを入力する画像入力手段と、入力された画像データが示すカラー画像を前記記録媒体の一方または他方の面に形成する形成手段と、前記記録媒体を前記トレイから前記形成手段へ所定の経路で搬送する搬送手段と、前記受光部から出力された電気信号を用いて前記記録媒体の地色また地色の分布を特定する特定手段と、前記特定手段により特定された地色と前記画像入力手段により入力された画像データが示すカラー画像の色との差が予め定められた閾値を超えている場合には該画像データを前記形成手段に渡し、超えていない場合には利用者に警告を発する制御手段とを有し、前記検出装置は、前記領域が前記経路に直交する１つの平面と前記経路上の前記記録媒体との交差領域を含むように配置されていることを特徴とする画像形成装置を提供する。
この画像形成装置によれば、記録媒体の地色と形成しようとするカラー画像の色との差が予め定められた閾値以下の場合には画像形成に先立って警告が発せられる。よって、使用者は、カラー画像が見難く形成された記録媒体が得られる可能性があることを当該記録媒体への画像形成前に知ることができる。
【発明を実施するための最良の形態】
【００１２】
以下、図面を参照して、本発明の実施形態について説明する。
［第１実施形態］
［構成］
図１は、本発明の第１実施形態に係る画像形成装置の構成を示す図である。
この画像形成装置は、プリンタであり、用紙（記録媒体）を自重により積層させて収容する用紙トレイ１１，１２、各用紙トレイから最上層の用紙を送り出す送出機構１３，１４、送出機構１３により送り出された用紙を搬送する搬送ローラ１５，１６、及び、送出機構１４により送り出された用紙および搬送ローラ１５，１６により搬送されてきた用紙を更に搬送する搬送ローラ１７，１８を有する。
【００１３】
また、搬送ローラ１７，１８により搬送されてきた用紙の表面にカラー画像を形成する画像形成部１９、画像形成部１９によりカラー画像が形成された用紙を排出口２０から筐体外へ排出する排出ローラ２１，２２、及び排出口２０から排出された用紙を載せる排紙トレイ２３を有する。なお、この画像形成装置では、用紙トレイ１１，１２に収容された用紙の両面のうち、下を向いている面が表面、上を向いている面が裏面として取り扱われる。
【００１４】
また、この画像形成装置は、印刷指示ａを受信する受信部２４、図２の制御処理を行う制御部２５、制御部２５に制御されて画像を表示する表示部２６、及び、用紙の搬送路上の検出位置Ｐ近傍に当該用紙の裏面に対向して設けられた検出装置２７を有する。印刷指示ａは、カラー画像を示す画像データと、当該カラー画像が形成される用紙の供給元の用紙トレイ（用紙トレイ１１／用紙トレイ１２）を示す選択データと、得ようとする文書の種類（正式文書／非正式文書）を示す種類データとを含む。
【００１５】
図３は、第１実施形態における検出装置２７の構成を模式的に示す図である。
この図に示すように、当該検出装置２７は、発光素子アレイ３１、シート状導光部材３２及びフォトセンサアレイ３３を有する。以降、各部について、図４および図５を参照して説明する。なお、図４は検出位置Ｐ付近の構成を示す斜視図であり、図５は発光素子アレイ３１及びシート状導光部材３２を図４の方向Ｄ１から眺めた図である。図４において、搬送方向Ｄ２は検出位置Ｐにおいて用紙が移動する向きであり、幅方向Ｄ３は当該用紙上にて搬送方向Ｄ２に直交する方向であり、走査方向Ｄ４は幅方向Ｄ３に平行な、図１における手前から奥への向きである。
【００１６】
発光素子アレイ３１は、検出位置Ｐの用紙の裏面を走査方向Ｄ４に走査する光を発するものであり、その形状は、長手方向（幅方向Ｄ３）の長さが用紙の全幅と略同一の略直方体である。長手方向における一方の端面３１１から他方の端面３１２にかけては、対向する検出位置Ｐに白色光を発するｎ個のＬＥＤ（Light Emitting Diode）チップＣ１〜Ｃｎが並んでいる。検出位置Ｐは幅方向Ｄ３に沿って並ぶｎ個の位置Ｐ１〜Ｐｎを含んでおり、ＬＥＤチップＣ１からの光は位置Ｐ１に、ＬＥＤチップＣ２からの光は位置Ｐ２に、…、ＬＥＤチップＣｎからの光は位置Ｐｎに到達する。また、発光素子アレイ３１は、搬送ローラ１７，１８からの用紙の先端が検出位置Ｐに達すると、当該用紙の後端が検出位置Ｐを通過するまで、走査処理を繰り返す。走査処理とは、ＬＥＤチップＣ１〜Ｃｎを排他的に発光させる処理であり、この処理において、発光するＬＥＤチップは予め定められた時間間隔で切り替えられる。この切り替えは、発光位置が走査方向Ｄ４に移動していくように行われる。つまり、発光するＬＥＤチップは、ＬＥＤチップＣ１、ＬＥＤチップＣ２、…、ＬＥＤチップＣｎの順に切り替わる。
【００１７】
シート状導光部材３２は、光を導くシート状の部材であり、透過率の高い透明部材から形成されており、斜辺が一本だけの台形に均一の厚みを持たせた形をなしている。斜辺の端面３２１は反射面が設けてあり、端面３２１に隣接しない端面３２２は、発光素子アレイ３１のＬＥＤチップＣ１〜Ｃｎから発せられて検出位置Ｐで反射された光の主光線に直交する。また、台形の底辺の厚みの端面３２３は、端面３２２からの入射光の出射面となっている。
【００１８】
フォトセンサアレイ３３は、赤色光のみを透過させる赤色フィルタを介して受光し、受光光の強度（光量）に応じたレベルの信号（電気信号）を出力するフォトセンサ３３Ｒ、緑色光のみを透過させる緑色フィルタを介して受光し、受光光の強度に応じたレベルの信号を出力するフォトセンサ３３Ｇ、及び青色光のみを透過させる青色フィルタを介して受光し、受光光の強度に応じたレベルの信号を出力するフォトセンサ３３Ｂを有し、シート状導光部材３２の端面３２３から出射された光が各フィルタに入射するように配置されている。
【００１９】
また、図３に示すように、当該検出装置２７は判別部３４を有する。
判別部３４は、搬送ローラ１７，１８からの用紙の先端が検出位置Ｐに達してから当該用紙の後端が検出位置Ｐを通過するまでの間にフォトセンサアレイ３３から出力された信号をデジタルデータに変換して走査処理毎かつフォトセンサ毎に記憶し、記憶したデータを用いて、当該用紙の裏面に画像が形成されているか否かを判別し、判別結果を示す検出信号ｂを出力する。なお、以降の説明において、「画像」は「汚れ」を含む概念である。また、判別部３４は、記憶したデータを用いて、当該用紙の地色のＲＧＢ値を特定し、特定結果を示す検出信号ｅを出力する。
【００２０】
［動作］
次に、上記構成の画像形成装置の動作について説明する。
ただし、裏紙を用紙トレイに補給する際には未使用の面を下に向けることが定められており、これに従って、用紙トレイに用紙が補給されるものとする。そして、このような補給により、図１の用紙トレイ１１には地色が白色の２枚の未使用紙が収容され、用紙トレイ１２には２枚の裏紙が収容されているものとする。用紙トレイ１２中の２枚の裏紙のうち、上層の裏紙の地色は淡い紫色であり、その裏面には濃い紫色の画像が形成されている。また、下層の裏紙の地色は白色であり、その裏面には淡い黄色の画像が形成されている。
【００２１】
まず、制御部２５は、受信部２４が印刷指示ａを受信するのを待つ（図２のステップＳ１１：ＮＯ）。ここで、受信部２４が、あるカラー画像を示す画像データと用紙トレイ１１を示す選択データと得ようとする文書が正式文書であることを示す種類データとを含む印刷指示ａを受信したとする（ステップＳ１１：ＹＥＳ）。すると、制御部２５は、この印刷指示ａ内の選択データで示される用紙トレイ１１に応じた送出機構１３および搬送ローラ１５〜１８を制御する（ステップＳ１２）。この結果、用紙トレイ１１内の最上層の用紙が、送出機構１３により送り出され、搬送ローラ１５〜１８により搬送される。
【００２２】
この用紙の先端が検出位置Ｐに達すると、図４の発光素子アレイ３１は前述の走査処理を行う。すなわち、ＬＥＤチップＣ１〜Ｃｎが順に排他的に白色光を発する。これらの光の各々は当該用紙の裏面における位置Ｐ１〜Ｐｎの部分で反射される。各位置からの反射光の大部分は端面３２２からシート状導光部材３２に入射する。これらの入射光は、シート状導光部材３２内を導かれて端面３２３から出射し、フォトセンサアレイ３３の赤色、緑色および青色フィルタを介してフォトセンサ３３Ｒ〜３３Ｂに受光される。赤色フィルタを透過するのは赤色光のみであるから、フォトセンサ３３Ｒからは、端面３２３からの出射光の赤色成分の強度に応じたレベルの信号が出力される。これと同様に、フォトセンサ３３Ｇからは当該出射光の緑色成分の強度に応じたレベルの信号が、フォトセンサ３３Ｂからは当該出射光の青色成分の強度に応じたレベルの信号が出力される。これらの信号は、判別部３４において各々ｎ個のデジタルデータに変換されて記憶される。
【００２３】
図６は、上記の走査処理によって判別部３４に記憶されたデジタルデータが示すレベルと当該デジタルデータが得られたときに発光していたＬＥＤチップとを対応付けたグラフである。このグラフにおいて、特性線Ｒはフォトセンサ３３Ｒに、特性線Ｇはフォトセンサ３３Ｇに、特性線Ｂはフォトセンサ３３Ｂに対応している。このグラフでは、特性線Ｒ、Ｇ及びＢがいずれも十分に高いレベルにあり、互いに略重なっているから、当該用紙の走査された領域の色が均一であること、及び当該領域の地色が白色であることが分かる。
【００２４】
上記の走査処理は繰り返し行われる。搬送中の用紙は地色が白色の未使用紙であり、その裏面には画像が形成されていないから、走査処理の繰り返しによって得られるグラフはいずれも図６と同様となる。そして、当該用紙の後端が検出位置Ｐを通過すると、発光素子アレイ３１は走査処理の繰り返しを止め、判別部３４は検出信号ｂ及び検出信号ｅを出力する。各走査処理で得られたグラフはいずれも図６と同様であるから、検出信号ｂは、当該用紙の裏面に画像が形成されていないことを示すものとなり、検出信号ｅは、白色のＲＧＢ値を示すものとなる。
【００２５】
制御部２５は、この検出信号ｂを受けて、この検出信号ｂの内容と当該印刷指示ａ内の種類データの内容とが適合しているか否かを判定する（ステップＳ１３）。ここでは、検出信号ｂが、当該用紙の裏面に画像が形成されていないことを示しており、かつ、印刷指示ａ内の種類データが正式文書を示しているから、この判定結果は「ＹＥＳ」となる。よって、制御部２５は、当該用紙の地色が淡色であるか否かを判定する（ステップＳ１４）。この判定結果は、検出信号ｅが示すＲＧＢ値が予め定められた淡色範囲内にある場合にのみ、「ＹＥＳ」となる。なお、淡色範囲は、固定値であってもよいし、使用者により設定されてもよいが、ステップＳ１４における「淡色」が白色を含まない淡い色となるように定められる必要がある。
【００２６】
ここでは、検出信号ｅが示すＲＧＢ値は白色のものであるから、ステップＳ１４の判定結果は「ＮＯ」となる。よって、制御部２５は、当該用紙に当該印刷指示ａ内の画像データを用いてカラー画像を形成するように画像形成部１９を制御する（ステップＳ１５）。これにより、画像形成部１９は当該用紙の表面に印刷指示ａ内の画像データを用いてカラー画像を形成する。次に、制御部２５は、当該用紙が排出口２０から排出されるように排出ローラ２１，２２を制御する（ステップＳ１６）。この結果、当該用紙は排出口２０から排出されて排紙トレイ２３上に載置される。こうして、正式文書が得られる。以降、処理はステップＳ１１に戻る。
【００２７】
次に、受信部２４が、あるカラー画像を示す画像データと用紙トレイ１２を示す選択データと得ようとする文書が非正式文書であることを示す種類データとを含む印刷指示ａを受信したとする（ステップＳ１１：ＹＥＳ）。すると、制御部２５は、この印刷指示ａ内の選択データで示される用紙トレイ１２に応じた送出機構１４および搬送ローラ１７〜１８を制御する（ステップＳ１２）。この結果、用紙トレイ１２内の最上層の用紙が、送出機構１４により送り出され、搬送ローラ１７〜１８により搬送される。
【００２８】
この用紙の先端が検出位置Ｐに達すると、上述と同様の処理が行われる。ただし、この用紙は地色が淡い紫色の裏紙であり、その裏面には濃い紫色の画像が形成されている。よって、いずれかの走査処理において図７に示すようなグラフが得られる。このグラフでは、特性線Ｒ及びＢが互いに略重なっており、両者は特性線Ｇよりも遥かに高いレベルにあり、特性線Ｒ、Ｂ及びＧがいずれも十分に高いレベルにあり、特性線Ｒ、Ｂ及びＧの少なくとも１つ（特に特性線Ｇ）に線形増加を示していない部分が存在するから、当該用紙の走査された領域の色が不均一であること、及び当該領域の地色が淡い紫色であることが分かる。そして、当該用紙の後端が検出位置Ｐを通過すると、発光素子アレイ３１は走査処理の繰り返しを止め、判別部３４は検出信号ｂ及び検出信号ｅを出力する。この用紙については図７に示すグラフが得られているから、当該検出信号ｂは、当該用紙の裏面に画像が形成されていることを示すものとなり、当該検出信号ｅは、淡い紫色のＲＧＢ値を示すものとなる。
【００２９】
制御部２５は、この検出信号ｂの内容と当該印刷指示ａ内の種類データの内容とが適合しているか否かを判定する（ステップＳ１３）。ここでは、検出信号ｂが、当該用紙の裏面に画像が形成されていることを示しており、かつ、印刷指示ａ内の種類データが非正式文書を示しているから、この判定結果は「ＹＥＳ」となる。よって、制御部２５は、当該用紙の地色が淡色であるか否かを判定する（ステップＳ１４）。ここでは、この判定結果が「ＹＥＳ」となる。よって、制御部２５は、地色による影響が除去されるように当該印刷指示ａ内のカラー画像を変更する（ステップＳ１７）。ここでは、地色が淡色であるから、カラー画像中のＲＧＢ値を地色のＲＧＢ値に応じた量だけ変更が行われる。
【００３０】
次に、制御部２５は、当該用紙に当該印刷指示ａ内の画像データを用いてカラー画像を形成するように画像形成部１９を制御し、次に、当該用紙が排出口２０から排出されるように排出ローラ２１，２２を制御する（ステップＳ１５，Ｓ１６）。こうして、非正式文書が裏紙を用いて得られる。ステップＳ１７の処理により、この非正式文書の表面のカラー画像には地色による影響が現れないから、良好な色再現性を確保することができる。以降、処理はステップＳ１１に戻る。
【００３１】
次に、受信部２４が、あるカラー画像を示す画像データと用紙トレイ１２を示す選択データと得ようとする文書が非正式文書であることを示す種類データとを含む印刷指示ａを受信したとする（ステップＳ１１：ＹＥＳ）。すると、制御部２５は、この印刷指示ａ内の選択データの内容に応じた制御を行う（ステップＳ１２）。この結果、用紙トレイ１２内の最上層の用紙が、送出機構１４により送り出され、搬送ローラ１７〜１８により搬送される。
【００３２】
この用紙の先端が検出位置Ｐに達すると、上述と同様の処理が行われる。ただし、この用紙は地色が白色の裏紙であり、その裏面には淡い黄色の画像が形成されている。よって、いずれかの走査処理において、特性線Ｒ、Ｇ及びＢが十分に高いレベルで略重なっており、特性線Ｒ、Ｇ及びＢの少なくとも１つ（特に特性線Ｂ）に線形増加を示していない部分が存在するグラフが得られる。つまり、当該用紙の走査された領域の色が不均一であること、及び当該領域の地色が白色であることが分かる。よって、当該用紙の後端が検出位置Ｐを通過したときに判別部３４から出力される検出信号ｂは、当該用紙の裏面に画像が形成されていることを示すものとなり、このときに出力される検出信号ｅは、白色のＲＧＢ値を示すものとなる。
【００３３】
制御部２５は、この検出信号ｂの内容と当該印刷指示ａ内の種類データの内容とが適合しているか否かを判定する（ステップＳ１３）。ここでは、検出信号ｂが、当該用紙の裏面に画像が形成されていることを示しており、かつ、印刷指示ａ内の種類データが非正式文書を示しているから、この判定結果は「ＹＥＳ」となる。よって、制御部２５は、当該用紙の地色が淡色であるか否かを判定する（ステップＳ１４）。ここでは、この判定結果が「ＮＯ」となる。よって、制御部２５は、当該用紙に当該印刷指示ａ内の画像データを用いてカラー画像を形成するように画像形成部１９を制御し、次に、当該用紙が排出口２０から排出されるように排出ローラ２１，２２を制御する（ステップＳ１５，Ｓ１６）。こうして、非正式文書が裏紙を用いて得られる。以降、処理はステップＳ１１に戻る。
【００３４】
次に、受信部２４が、あるカラー画像を示す画像データと用紙トレイ１１を示す選択データと得ようとする文書が非正式文書であることを示す種類データとを含む印刷指示ａを受信したとする（ステップＳ１１：ＹＥＳ）。すると、制御部２５は、この印刷指示ａ内の選択データの内容に応じた制御を行う（ステップＳ１２）。この結果、用紙トレイ１１内の最上層の用紙が、送出機構１３により送り出され、搬送ローラ１５〜１８により搬送される。
【００３５】
この用紙の先端が検出位置Ｐに達すると、上述と同様の処理が行われ、全ての走査処理において図６に示すグラフが得られる。よって、当該用紙の後端が検出位置Ｐを通過したときに判別部３４から出力される検出信号ｂは、当該用紙の裏面に画像が形成されていないことを示すものとなり、このときに出力される検出信号ｅは、白色のＲＧＢ値を示すものとなる。
【００３６】
制御部２５は、この検出信号ｂの内容と当該印刷指示ａ内の種類データの内容とが適合しているか否かを判定する（ステップＳ１３）。ここでは、検出信号ｂが、当該用紙の裏面に画像が形成されていないことを示しており、かつ、印刷指示ａ内の種類データが非正式文書を示しているから、この判定結果は「ＮＯ」となる。よって、制御部２５は、文書の種類と用紙の種類とが適合していないことを示す画像を表示部２６に表示させ（ステップＳ１８）、次に、当該用紙が排出口２０から排出されるように排出ローラ２１，２２を制御する（ステップＳ１６）。つまり、カラー画像が形成されることなく未使用紙が排出される。なお、ステップＳ１３の判定結果は、検出信号ｂが、当該用紙の裏面に画像が形成されていることを示し、かつ、印刷指示ａ内の種類データが正式文書を示す場合にも「ＮＯ」となる。
【００３７】
以上説明したように、本実施形態に係る画像形成装置によれば、用紙の全幅にわたる反射光がシート状導光部材３２によりフォトセンサアレイ３３に導かれるため、フォトセンサの数を３つとすることができる。また、画像形成のために搬送中の用紙の裏面に光をあてて当該裏面に画像が形成されているか否かを判別するようにしたため、搬送中の用紙が裏紙であるか否かを用紙毎に検知することができる。
【００３８】
また、得ようとする文書の種類（正式文書／非正式文書）と搬送中の用紙の種類（未使用紙／裏紙）とが適合しない場合には当該用紙が画像形成を経ずに排出されるから、無駄を排除することができる。また、この際、両者が適合していないことを示す画像が表示部２６に表示されるから、使用者は、用紙が画像形成を経ずに排出された理由を簡単に把握することができる。
【００３９】
さらに、シート状導光部材３２からの出射光の各成分のうち、フォトセンサ３３Ｒに赤色成分のみを受光させ、フォトセンサ３３Ｇに緑色成分のみを受光させ、フォトセンサ３３Ｂに青色成分のみを受光させるようにしたから、用紙の地色と用紙に形成される画像の色とが如何なる関係にあろうとも、赤色成分、緑色成分および青色成分のうちの少なくとも１つに関して、地色の反射率と画像の色の反射率との間に十分に大きな差が生じる。よって、用紙の裏面に画像が形成されているか否かを確実に検知することができる。また、発光側では白色光を発すればよいから、赤色光を発する光源、緑色光を発する光源および青色光を発する光源を備える態様に比較して、発光素子の数を減らすことができる。
【００４０】
［第２実施形態］
次に、本発明の第２実施形態に係る画像形成装置について説明する。
この画像形成装置の構成は図１に示す通りである。ただし、この画像形成装置における検出装置２７は、図８〜図１０に示すように構成されている。これらの図に示すように、この検出装置２７は、白色光を発するＬＥＤや電球等の光源３５と、シート状導光部材３２と同様のシート状導光部材３６及びシート状導光部材３７と、フォトセンサアレイ３３と同様のフォトセンサアレイ３８と、判別部３９とを有する。
【００４１】
シート状導光部材３６及びシート状導光部材３７は、検出位置Ｐ付近において用紙の前幅にわたって差し渡されている。また、シート状導光部材３６における台形の斜辺の厚みの端面３６１に隣接しない端面３６２、及びシート状導光部材３７における台形の斜辺の厚みの端面３７１に隣接しない端面３７２は検出位置Ｐを向いている。また、幅方向Ｄ３において、シート状導光部材３６における台形の上辺の厚みの端面３６３と底辺の厚みの端面３６４との位置関係とシート状導光部材３７における台形の上辺の厚みの端面３７３と底辺の厚みの端面３７４との位置関係とが逆になっている。
【００４２】
光源３５は、シート状導光部材３６の端面３６４の近傍に配置されており、搬送ローラ１７，１８からの用紙の先端が検出位置Ｐに達すると、当該用紙の後端が検出位置Ｐを通過するまで、発光する。光源３５から発せられた白色光は、端面３６４からシート状導光部材３６に入射し、シート状導光部材３６内で散乱され、端面３６２から板状の光として出射する。この板状光は検出位置Ｐの用紙の裏面により反射され、端面３７２からシート状導光部材３７に入射する。この入射光は、シート状導光部材３７に導かれ、端面３７４から出射する。
【００４３】
フォトセンサアレイ３８は、フォトセンサアレイ３３と同様の構成を有し、シート状導光部材３７の端面３７４から出射された光が各フィルタに入射するように配置されている。なお、フォトセンサ３８Ｒ、３８Ｇ及び３８Ｂは、それぞれ、フォトセンサ３３Ｒ、３３Ｇ及び３３Ｂに相当している。フォトセンサアレイ３８から出力される信号のレベルは、検出位置Ｐの用紙の裏面に画像が形成されていない場合には最初から最後まで一定レベルであり、形成されている場合には途中または全期間で当該一定レベルから外れる。なお、「一定レベル」は用紙毎およびフォトセンサ毎に相異し得る。
【００４４】
判別部３９は、搬送ローラ１７，１８からの用紙の先端が検出位置Ｐに達してから当該用紙の後端が検出位置Ｐを通過するまでの間にフォトセンサアレイ３８から出力された信号をデジタルデータに変換してフォトセンサ毎に記憶し、記憶したデータを用いて、当該用紙の裏面に画像が形成されているか否かを判別し、判別結果を示す検出信号ｂを出力する。この判別は、一定レベルから大きく外れたデータが記憶されているか否かをフォトセンサ毎に調べることにより行われ、その判別結果は、一定レベルから大きく外れたデータが１つでも記憶されている場合に「当該用紙の裏面に画像が形成されている」となり、１つも記憶されていない場合に「当該用紙の裏面に画像が形成されていない」となる。また、判別部３４は、記憶したデータを用いて、当該用紙の地色のＲＧＢ値を特定し、特定結果を示す検出信号ｅを出力する。この特定では、フォトセンサ毎に一定レベルが求められ、フォトセンサ３８Ｒに対して求められた一定レベルがＲ値、フォトセンサ３８Ｇに対して求められた一定レベルがＧ値、フォトセンサ３８Ｂに対して求められた一定レベルがＢ値とされる。
【００４５】
このように、第２実施形態における検出装置２７は、第１実施形態における検出装置２７と同様の機能を提供する。よって、第２実施形態に係る画像形成装置によれば、第１実施形態に係る画像形成装置と同様の効果を得ることができる。加えて、第２実施形態によれば、走査処理における制御が第１実施形態よりも簡素となる。よって、裏紙や地色の検知に高速性が要求される場合にも対応し易い。また、第２実施形態によれば、シート状導光部材３６とシート状導光部材３７とを逆向きに配置したから、フォトセンサアレイ３３に受光される光の光路長は反射位置に依存せずに一定となる。よって、用紙の裏面のいずれの位置に画像が形成されていても、偏りなく、これを検知することができる。
なお、第２実施形態に対する第１実施形態の顕著な効果としては、より小さな画像の存在を正確に検出することができる、地色をより正確に検知することができる、ということが挙げられる。
【００４６】
［第３実施形態］
次に、本発明の第３実施形態に係る画像形成装置について説明する。
この画像形成装置の構成は図１に示す通りである。ただし、この画像形成装置における検出装置２７は図１１及び１２に示すように構成されている。これらの図に示すように、この検出装置２７は、図４の発光素子アレイ３１と同様の発光素子アレイ４０と、シート状導光部材４１，４２と、フォトセンサアレイ３３と同様のフォトセンサアレイ４３，４４と、判別部４５とを有する。
【００４７】
シート状導光部材４１及び４２は、図４のシート状導光部材３２に代わるものであり、検出位置Ｐ付近において用紙の全幅にわたって連ねて差し渡されている。シート状導光部材４１及び４２の形状は、それぞれ、シート状導光部材３２を端面３２３に平行な断面で分断したときの端面３２３を持たない部分と同一である。シート状導光部材４１は、搬送方向Ｄ２において、シート状導光部材４２よりも下流側に配置されており、その上流側の端面４１１の一部はシート状導光部材４２の下流側の端面４２１の一部に重なっている。つまり、シート状導光部材４１及び４２は互いにオーバーラップして配置されている。また、幅方向Ｄ３において、シート状導光部材４１における台形の上辺の厚みの端面４１２と底辺の厚みの端面４１３との位置関係とシート状導光部材４２における台形の上辺の厚みの端面４２２と底辺の厚みの端面４２３との位置関係は逆になっている。なお、両者における台形の斜辺の厚みの端面４１４，４２４に隣接しない端面４１５，４２５は、シート状導光部材３２の端面３２２と同様に検出位置Ｐを向いている。
【００４８】
このような構成であるから、発光素子アレイ４０から発せられて用紙により反射された光は、端面４１５からシート状導光部材４１に入射して端面４１３から出射するか、または、端面４２５からシート状導光部材４２に入射して端面４２３から出射することになる。また、フォトセンサアレイ４３はシート状導光部材４１からの出射光が各フィルタに入射するように配置され、フォトセンサアレイ４４はシート状導光部材４２からの出射光が各フィルタに入射するように配置されている。
【００４９】
判別部４５は、搬送ローラ１７，１８からの用紙の先端が検出位置Ｐに達してから当該用紙の後端が検出位置Ｐを通過するまでの間にフォトセンサアレイ４３及び４４から出力された信号をデジタルデータに変換して走査処理毎かつフォトセンサ毎に記憶し、記憶したデータを用いて、当該用紙の裏面に画像が形成されているか否かを判別し、判別結果を示す検出信号ｂを出力する。また、判別部４５は、記憶したデータを用いて、当該用紙の地色のＲＧＢ値を特定し、特定結果を示す検出信号ｅを出力する。つまり、図３の判別部３４と同様の処理を行う。ただし、走査処理において、前半に得られる信号のレベルは減少傾向にあり、後半に得られる信号のレベルは増加傾向にあるから、判別部４５は、このような傾向を考慮して上記の処理を行う。
【００５０】
このように、第３実施形態における検出装置２７は、第１実施形態における検出装置２７と同様の機能を提供する。よって、第３実施形態に係る画像形成装置によれば、第１実施形態に係る画像形成装置と同様の効果を得ることができる。加えて、第３実施形態によれば、各シート状導光部材の長さが用紙の幅よりも短いから、光の減衰を抑えて高精度の検知を行うことができる。また、第３実施形態によれば、検出位置Ｐの用紙に垂直な方向におけるシート状導光部材の長さを第１実施形態に比較して短く出来るので、より省スペースとなる。また、第３実施形態によれば、シート状導光部材４１及びシート状導光部材４２が互いにオーバーラップしているから、光の取りこぼしを防止することができる。
【００５１】
［第４実施形態］
次に、本発明の第４実施形態に係る画像形成装置について説明する。
この画像形成装置の構成は図１に示す通りである。ただし、この画像形成装置における検出装置２７は図１３〜１７に示すように構成されている。これらの図に示すように、この検出装置２７は、図４の発光素子アレイ３１と同様の発光素子アレイ４６と、円柱状導光部材４７と、フォトセンサアレイ３３と同様のフォトセンサアレイ４８と、判別部３４と同様の判別部４９とを有する。
【００５２】
円柱状導光部材４７は、シート状導光部材３２に代わるものであり、検出位置Ｐ付近において用紙の全幅にわたって差し渡されている。この円柱状導光部材４７は円柱状の円柱部４７１及び略直方体状の方形部４７２を有する。円柱部４７１及び方形部４７２は、透過率の高い透明部材から形成されており、両者の長手方向の長さ及び向きは一致している。また、方形部４７２の、円柱部４７１に接触していない端面４７２１は、シート状導光部材３２の端面３２２と同様に検出位置Ｐに向けられている。
【００５３】
図１５は、円柱状導光部材４７の軸を通って方形部４７２を２等分する面で切断したときの断面図であり、この図に示すように、円柱部４７１の、方形部４７２と接する部分には、プリズムＰＲが埋め込まれている。プリズムＰＲは、方形部４７２からの入射光を、円柱部４７１の、フォトセンサアレイ４８に対向している端面４７１１の方向へ屈折させる。
【００５４】
図１６及び１７は、円柱状導光部材４７による導光の様子を示す図である。発光素子アレイ４６から発せられた白色光は検出位置Ｐの用紙の裏面で反射されて端面４７２１から方形部４７２に入射し、更に円柱部４７１に入射する。円柱部４７１において、この光は、端面４７１１に向かうようにプリズムＰＲで屈折し、円柱部４７１内を螺旋状に進み、端面４７１１から出射することになる。また、フォトセンサアレイ４８はシート状導光部材４１からの出射光が各フィルタに入射するように配置されている。また、判別部４９は、フォトセンサアレイ４８から出力される信号を用いて前述の処理を行う。
【００５５】
このように、第４実施形態における検出装置２７は、第１実施形態における検出装置２７と同様の機能を提供する。よって、第４実施形態に係る画像形成装置によれば、第１実施形態に係る画像形成装置と同様の効果を得ることができる。
なお、図１８に示すように、方形部４７２を断面が台形となるように形成して、より多くの反射光がプリズムＰＲに入射するようにしてもよい。これは、特に、光源がＬＥＤアレイの場合に好適である。
また、図１９に示すように、プリズムＰＲを円柱部における入射位置と反対側に設け、プリズムＰＲでの反射を利用して入射光の向きを変えるようにしてもよい。
【００５６】
［第５実施形態］
次に、本発明の第５実施形態に係る画像形成装置について説明する。
図２０は、この画像形成装置の構成を示す図であり、この画像形成装置が図１のものと異なる点は、検出装置２７及び制御部２５に代えて検出装置２８及び制御部２９を有する点と、新たに操作部３０を有する点のみである。操作部３０は処理の中断指示および続行指示を入力するための操作子を備えている。
【００５７】
図２１および２２は検出装置２８の構成を示す図である。
これらの図に示すように、検出装置２８は、図８〜１０の光源３５、シート状導光部材３６，３７及びフォトセンサアレイ３８を有し、更に、白色光を発する光源６１と、シート状導光部材３６と同様のシート状導光部材６２とを用紙の表面側に備え、更に、判別部６３を有する。ただし、光源３５および光源６１は交互に発光するものであり、光源３５の発光タイミングと光源６１の発光タイミングとが重なることはない。
【００５８】
シート状導光部材６２は、検出位置Ｐを回転軸としてシート状導光部材３６を回転移動させ、用紙を挟んでシート状導光部材３７と正対したところで止めたように配置されている。また、光源６１とシート状導光部材６２との相対的な位置関係は、光源３５とシート状導光部材３６との相対的な位置関係と同様である。よって、光源６１から白色光が発せられると、この光はシート状導光部材６２に入射し、シート状導光部材６２から板状光として出射され、検出位置Ｐの用紙を透過して進み、フォトセンサアレイ３８の各フィルタに入射する。
【００５９】
判別部６３は、搬送ローラ１７，１８からの用紙の先端が検出位置Ｐに達してから当該用紙の後端が検出位置Ｐを通過するまでの間にフォトセンサアレイ３３から出力された信号から、光源３５からの光の受光強度を示すデジタルデータと光源６１からの光の受光強度とを示すデジタルデータを生成して走査処理毎かつフォトセンサ毎に記憶し、記憶したデータを用いて、当該用紙の使用状態を判別し、判別結果を示す検出信号ｄを出力する。ここで判別される使用状態には、用紙に画像が形成されていない状態、用紙の裏面のみに画像が形成されている状態、用紙の表面のみに画像が形成されている状態、用紙の表面および裏面に画像が形成されている状態の４種類がある。また、判別部６３は、記憶したデータを用いて、当該用紙の表面の地色のＲＧＢ値を特定し、特定結果を示す検出信号ｆを出力する。
【００６０】
図２３は、制御部２９が行う制御処理を示すフローチャートである。この図において、図２と共通する処理には同一の符号が付されている。
この図に示すように、制御部２９は、受信部２４が印刷指示ａを受信するのを待ち（ステップＳ１１：ＮＯ）、受信部２４が、あるカラー画像を示す画像データと用紙トレイ１１または１２を示す選択データと得ようとする文書の種類を示す種類データとを含む印刷指示ａを受信すると（ステップＳ１１：ＹＥＳ）、この印刷指示ａ内の選択データで示される用紙トレイに応じた制御を行う（ステップＳ１２）。この結果、該当する用紙トレイ内の最上層の用紙が、最終的には搬送ローラ１７〜１８により搬送される。
【００６１】
そして、当該用紙の後端が検出位置Ｐを通過すると、制御部２５は、判別部６３から検出信号ｄ及びｆを受け、検出信号ｄの内容と印刷指示ａ内の種類データの内容とが適合しているか否かを判定する。この判定結果が「ＹＥＳ」となるのは、検出信号ｄが、用紙に画像が形成されていない状態を示し、かつ、印刷指示ａ内の種類データが正式文書を示す場合と、検出信号ｄが、用紙の裏面のみに画像が形成されている状態を示し、かつ、印刷指示ａ内の種類データが非正式文書を示す場合のみである。
【００６２】
この判定結果が「ＮＯ」の場合にはステップＳ１８以降の前述した処理が行われ、「ＹＥＳ」の場合には、印刷指示ａ内の画像データと検出信号ｆとの色差を算出し、この色差が予め定められた閾値以下であるか否かを判定する（ステップＳ２２）。上記の色差は、ＲＧＢ色空間における、印刷指示ａ内の画像データが示すＲＧＢ値の代表値（例えば最頻値または平均値）と検出信号ｆが示すＲＧＢ値との距離である。なお、この判定は、当該画像データで示されるカラー画像を当該用紙に形成した場合にプリント画像が見難くなるか否かを判断するために行われるものであり、この目的を達成する範囲内で任意の代表値を採用可能である。また、上記の閾値を使用者が設定できるようにしてもよいが、設定される閾値は上記の目的を達成する範囲内でなければならない。
【００６３】
ステップＳ２２の判定結果が「ＮＯ」の場合にはステップＳ１５以降の前述した処理が行われ、「ＹＥＳ」の場合には、制御部２５は、下地色によってプリント画像が見難くなる可能性があることを警告する画像を表示部２６に表示させ（ステップＳ２３）、使用者が操作部３０の操作子を用いて中断指示または続行指示を入力するのを待つ（ステップＳ２４：ＮＯ）。そして、いずれかの指示が入力されると（ステップＳ２４：ＹＥＳ）、入力された指示が中断指示であるか否かを判定する（ステップＳ２５）。この判定結果が「ＹＥＳ」であればステップＳ１６以降の前述した処理が行われ、「ＮＯ」であればステップＳ１５以降の前述した処理が行われる。つまり、中断指示が入力された場合にはカラー画像が形成されることなく用紙が排出され、続行指示が入力された場合にはカラー画像が形成されてから用紙が排出される。
【００６４】
このように、第５実施形態に係る画像形成装置によれば、第１実施形態に係る画像形成装置と同様の効果を得ることができる。さらに、第５実施形態に係る画像形成装置によれば、用紙の表面に画像が形成されている場合には、地色が白色の表面に淡い黄色の画像が形成されている場合であっても、これが検知され、当該用紙への画像形成が回避される。したがって、使用者は、用紙の向きを気にすることなく、裏紙を用紙トレイに補給することができる。なお、第１〜第４実施形態における検出装置２７を用紙の裏面側のみならず、表面側にも配置することにより、この効果を得ることができるが、第５実施形態では、この効果を得つつ、加えて、受光側の構成を簡素とすることができる。
【００６５】
また、第５実施形態に係る画像形成装置によれば、用紙の地色と形成しようとするカラー画像の色とに基づいて、プリント画像が見難くなる可能性がある旨の警告がなされ、この警告がなされた場合には使用者の続行指示を待って画像形成が行われる。よって、使用者は、用紙に見難いカラー画像が形成される事態を回避することができる。また、用紙の裏面の地色ではなく、用紙の表面の地色に基づいて上記の警告がなされるから、表面と裏面とで地色が相異する用紙を用いる場合にも警告を正しく発することができる。
【００６６】
本発明の実施形態は上述の通りであるが、複数の実施形態を組み合わせて検出装置や画像形成装置を構成してもよい。
また、各実施形態を任意に変形してもよい。例えば、搬送ローラ１７，１８の上流側に用紙トレイ毎に検出装置を設けてもよいし、各用紙トレイ内に検出装置を配してもよい。また例えば、適合しない場合に、画像形成を継続するか否かを使用者に確認するようにしてもよい。また、例えば、使用者が基準値を設定できるようにしてもよい。また例えば、未使用紙を用いて非正式文書を得ることを許容するようにしてもよい。また例えば、用紙の全幅の両端または片端に画像を形成することができない画像形成装置に適用する場合に、画像を形成可能な領域のみに光を当てるようにしてもよい。また例えば、第５実施形態に係る画像形成装置において色差が閾値以下の場合に警告を発することなく印刷指示ａ内の画像データを変更するようにしてもよいし、警告を発するか否かを使用者が設定できるようにしてもよい。また例えば、印刷指示ａ内の画像データを変更するのではなく、画像形成部１９における画像形成条件（例えば、トナーの濃度や転写電圧などのプロセス条件）を変更するようにしてもよい。また例えば、地色の異なる複数が表面または裏面に持つ用紙について各領域の位置や各領域の地色を検知するようにし、領域に応じて処理を変えるようにしてもよい。
【図面の簡単な説明】
【００６７】
【図１】本発明の第１実施形態に係る画像形成装置の構成を示す図である。
【図２】本発明の第１〜第４実施形態に係る画像形成装置内の制御部２５が行う制御処理のフローチャートである。
【図３】本発明の第１実施形態に係る画像形成装置内の検出装置２７の構成を模式的に示す図である。
【図４】同検出装置２７を構成する各部の形状および配置を示す斜視図である。
【図５】図４中の発光素子アレイ３１及びシート状導光部材３２を方向Ｄ１から眺めた図である。
【図６】発光中のＬＥＤチップと受光強度のレベルとの関係の一例を示す図である。
【図７】発光中のＬＥＤチップと受光強度のレベルとの関係の一例を示す図である。
【図８】本発明の第２実施形態に係る画像形成装置内の検出装置２７の構成を模式的に示す図である。
【図９】同検出装置２７を構成する各部の形状および配置を示す斜視図である。
【図１０】図９中のシート状導光部材３６及び３７を方向Ｄ１から眺めた図である。
【図１１】本発明の第３実施形態に係る画像形成装置内の検出装置２７の構成を模式的に示す図である。
【図１２】同検出装置２７を構成する各部の形状および配置を示す斜視図である。
【図１３】本発明の第４実施形態に係る画像形成装置内の検出装置２７の構成を模式的に示す図である。
【図１４】同検出装置２７を構成する円柱状導光部材４７の形状および配置を示す斜視図である。
【図１５】同円柱状導光部材４７の断面図である。
【図１６】同円柱状導光部材４７による導光の様子を示す図である。
【図１７】同円柱状導光部材４７による導光の様子を示す図である。
【図１８】円柱状導光部材の別の例を示す図である。
【図１９】円柱状導光部材の更に別の例を示す図である。
【図２０】本発明の第５実施形態に係る画像形成装置の構成を示す図である。
【図２１】同画像形成装置内の検出装置２８の構成を模式的に示す図である。
【図２２】図２１中のシート状導光部材３６、３７及び６２の配置を示す図である。
【図２３】同画像形成装置内の制御部２９が行う制御処理のフローチャートである。
【符号の説明】
【００６８】
１１，１２…用紙トレイ、１９…画像形成部、２４…受信部、２５，２９…制御部、２６…表示部、２７，２８…検出装置、３０…操作部、３１，４０，４６…発光素子アレイ、３２，３６，３７，４１，４２，６２…シート状導光部材、３３，３８，４３，４４，４８…フォトセンサアレイ、３４，３９，４５，４９，６３…判別部、３５，６１…光源、４７…円柱状導光部材。
【図１】
2006010981.tif 000003
【図２】
2006010981.tif 000004
【図３】
2006010981.tif 000005
【図４】
2006010981.tif 000006
【図５】
2006010981.tif 000007
【図６】
2006010981.tif 000008
【図７】
2006010981.tif 000009
【図８】
2006010981.tif 000010
【図９】
2006010981.tif 000011
【図１０】
2006010981.tif 000012
【図１１】
2006010981.tif 000013
【図１２】
2006010981.tif 000014
【図１３】
2006010981.tif 000015
【図１４】
2006010981.tif 000016
【図１５】
2006010981.tif 000017
【図１６】
2006010981.tif 000018
【図１７】
2006010981.tif 000019
【図１８】
2006010981.tif 000020
【図１９】
2006010981.tif 000021
【図２０】
2006010981.tif 000022
【図２１】
2006010981.tif 000023
【図２２】
2006010981.tif 000024
【図２３】
2006010981.tif 000025